(57)【要約】  【課題】  床配管と天井配管に共用できる水道用コンセントを提供すること。  【解決手段】  導入流路６、導出流路９および弁体６０を有する水栓本体ブロックをハウジング２内に収容する一方、前記弁体６０を開閉操作して前記導出流路９から導出可能な水の流量を調整する流量調整部材１０を設け、水を供給するための配管Ｐと前記導入流路６とを接続する配管接続部材１３を設けるとともに、吐水口８を前記導出流路９に設けてなり、天井、壁Ｗ、床または取付用パネルに形成された取付穴ｈに設置される水道用コンセント１において、前記配管接続部材１３が前記水栓本体ブロック１１の上下いずれからでも嵌込み可能なように前記水栓本体ブロック１１を上下に貫通する貫通穴１７を設けている。  【選択図】  図１            
2005220632.tif 000002
【特許請求の範囲】
【請求項１】
導入流路、導出流路および弁体を有する水栓本体ブロックをハウジング内に収容する一方、前記弁体を開閉操作して前記導出流路から導出可能な水の流量を調整する流量調整部材を設け、水を供給するための配管と前記導入流路とを接続する配管接続部材を設けるとともに、吐水口を前記導出流路に設けてなり、天井、壁、床または取付用パネルに形成された取付穴に設置される水道用コンセントにおいて、前記配管接続部材が前記水栓本体ブロックの上下いずれからでも嵌込み可能なように前記水栓本体ブロックを上下に貫通する貫通穴を設けたことを特徴とする水道用コンセント。
【請求項２】
前記水栓本体ブロックは直方体形状の金属素材よりなり、前記導入流路を形成する穴が前記貫通穴に交差する形で一側面から長手方向に沿って切削加工され、前記導出流路を形成する穴が前記一側面から長手方向に沿って切削加工され、更に、前記弁体を含む流量調整部材の設置用の穴が水栓本体ブロック前面から前記導入流路および導出流路に連通可能なように短手方向に沿って切削加工され、また、前記吐水口の設置用の穴が水栓本体ブロック前面から前記導出流路に連通可能なように短手方向に沿って切削加工されている請求項１に記載の水道用コンセント。
【発明の詳細な説明】
【技術分野】
【０００１】
この発明は、洗濯機、浄水器、食器洗い機、湯沸器などの機器の給水ホースへ給水できる水道用コンセントに関するものである。
【背景技術】
【０００２】
本出願人は、導入流路、導出流路および弁体を有する水栓本体ブロックをハウジング内に収容する一方、前記弁体を開閉操作して前記導出流路から導出可能な水の流量を調整する流量調整部材を設け、前記配管と前記導入流路とを接続する配管接続部材を設けるとともに、吐水口を前記導出流路に設けてなり、天井、壁、床または取付用パネルに形成された取付穴に設置される水道用コンセントとして、下記特許文献１に示すものを提案している。
【０００３】
下記特許文献１では、配管接続部材を複数種類設けて異なる口径の配管に対応できるよう構成している。
【特許文献１】特開２００３−１１３６２６号公報
【発明の開示】
【発明が解決しようとする課題】
【０００４】
ところで、例えば洗濯機に給水する水道用コンセントは、洗濯機近傍の壁に設置されるが、水道用コンセントに備えられている配管接続部材の配管接続口には床配管から壁に沿って立ち上げてなる配管が接続される。ところで、最近の新築マンションや住宅における配管作業においては、施工性の点から、床配管と天井配管とを共用するタイプのものが注目されているが、現行の水道用コンセントでは実際のところ天井配管を利用できる構造にはなっておらず、水道用コンセントにおいても床配管と天井配管を使用できるタイプのものが望まれている。
【０００５】
この発明は、上述の事柄に留意してなされたもので、その目的は、床配管と天井配管に共用できる水道用コンセントを提供することである。
【課題を解決するための手段】
【０００６】
上記目的を達成するために、この発明の水道用コンセントは、導入流路、導出流路および弁体を有する水栓本体ブロックをハウジング内に収容する一方、前記弁体を開閉操作して前記導出流路から導出可能な水の流量を調整する流量調整部材を設け、水を供給するための配管と前記導入流路とを接続する配管接続部材を設けるとともに、吐水口を前記導出流路に設けてなり、天井、壁、床または取付用パネルに形成された取付穴に設置される水道用コンセントにおいて、前記配管接続部材が前記水栓本体ブロックの上下いずれからでも嵌込み可能なように前記水栓本体ブロックを上下に貫通する貫通穴を設けたことを特徴としている。
【発明の効果】
【０００７】
この発明では、水を供給するための配管と導入流路とを接続する配管接続部材が水栓本体ブロックの上下いずれからでも嵌込み可能なように前記水栓本体ブロックを上下に貫通する貫通穴を設けたので、この貫通穴に前記配管接続部材を上から嵌込むことで流量調整部材と吐水口の位置関係を変えることなく前記配管接続部材と天井配管を接続することができる。また、前記貫通穴に前記配管接続部材を下から嵌込むことで配管接続口と床配管を接続することができる。
【発明を実施するための最良の形態】
【０００８】
以下、この発明の実施形態を、図を参照しながら説明する。なお、それによってこの発明は限定されるものではない。
【０００９】
図１〜図７は、この発明の一実施形態を示す。
図１〜図７において、水道用コンセント１は、正面視矩形形状をした前面開口２ａを有する箱状のハウジング本体２と、前面開口２ａを形成する枠状の周縁部（外向きフランジ）３に対応する形状を有する枠体４と、背面５ａにおける外枠部分に係止手段によって前記枠体４が嵌込まれるカバープレート（化粧プレート）５と、配管（例えば樹脂パイプ）Ｐに流れる水の導入流路６、流量調整部材７によって流量調整された水が流れるとともにその水を吐水する吐水口８を設けてある導出流路９および弁体６０を有する例えばステンレス等の金属製の水栓本体ブロック１１と、配管（例えば樹脂パイプ）Ｐの供給流路１２と導入流路６とを連通する配管接続部材１３とから主として構成されている。ハウジング本体２は、配管（例えば樹脂パイプ）Ｐおよび配管Ｐを配管接続部材１３に接続するための継手部材３０が挿通可能な大きさの丸穴２ｅを有する。弁体６０は、セラミック製の固定ディスクとセラミック製の可動ディスクよりなる。流量調整部材７は前記可動ディスクに連動連結された弁棒の軸心のまわりに回動する回動式ハンドルである。流量調整部材７は、弁体６０を収容したカートリッジ容器１０ａとハンドル部材１０ｂよりなる。カバープレート（化粧プレート）５は、吐水口８と流量調整部材７をカバープレート５正面からみて左右に配置するための正面視同一形状の円形の開口５ａを有する。なお、流量調整部材７と吐水口８をカバープレート５正面からみて上下に配置してもよい。そして、壁Ｗに形成された取付穴ｈにハウジング本体２を設置することで水道用コンセント１が取り付けられる。
【００１０】
以下、この発明の特徴的構成について説明する。
【００１１】
前記水栓本体ブロック１１は直方体形状で、前記導入流路６を形成する穴１３と、前記導出流路９を形成する穴１４と、前記弁体８を含む流量調整部材７の設置用の穴１５と、前記吐水口８の設置用の穴１６とを有する。更に、前記配管接続部材１３が前記水栓本体ブロック１１の上面Ａ側、下面Ｂ側いずれからでも嵌込み可能なように水栓本体ブロック１１を上下に貫通する貫通穴１７が設けられている。
前記穴１３は、前記貫通穴１７に交差する形で水栓本体ブロック１１の正面Ｄ側からみて右側面Ｃにおいて二点鎖線で示す円の部分１３’（図２参照）から水栓本体ブロック１１の長手方向（両矢印ａで示す方向）に沿ってストレートに所定長さだけ円形の縦断面になるよう切削加工されている。前記穴１４は、右側面Ｃにおいて二点鎖線で示す円の部分１４’（図２参照）からａ方向に沿ってストレートに所定長さだけ円形の縦断面になるよう切削加工されている。穴１４のストレート長は穴１３のストレート長より長く設定されており、また、穴１４と穴１３は所定間隔を有するよう、かつ、水栓本体ブロック１１の下面Ｂから同じ高さに位置するよう切削加工されている。
前記穴１５は、水栓本体ブロック正面（前面）Ｄにおいて二点鎖線で示す円の部分１５’（図２参照）から前記導入流路６および導出流路９に連通可能なように水栓本体ブロック１１の短手方向（両矢印ｂで示す方向）に沿ってストレートに所定長さだけ円形の縦断面になるよう切削加工されている。前記穴１５は、導出流路９に連通する穴部分１５ａと、導出流路９および導入流路６を連通する穴部分１５ａとよりなる。穴部分１５ａには、流量調整部材７の前記弁棒が設置された位置に対応する箇所が嵌込まれる。穴部分１５ａの連通位置は導出流路９の最上流位置に設定されている。穴部分１５ｂには、弁体６０が設置された位置に対応する箇所が嵌込まれる。穴部分１５ｂの連通位置は導入流路６の最下流位置に設定されている。
また、前記穴１６は、水栓本体ブロック正面（前面）Ｄにおいて二点鎖線で示す円の部分１６’（図２参照）から前記導出流路９に連通可能なようにｂ方向に沿ってストレートに所定長さだけ円形の縦断面になるよう切削加工されている。また、穴１５と穴１６は所定間隔を有するよう、かつ、水栓本体ブロック１１の下面Ｂから同じ高さに位置するよう切削加工されている。穴１６の連通位置は導出流路９の最下流位置に設定されている。
なお、６ａは導入流路６を閉塞するメクラ栓、６ｂはＯリング、９ａは導出流路６を閉塞するメクラ栓、９ｂはＯリングである。
【００１２】
前記配管接続部材１３は、有底筒状で、大径部２０とこの大径部２０から連設された小径部２１とよりなり、例えばプレス加工によつて成形された真鍮よりなる。小径部２１の外径は前記貫通穴１７の口径に等しい。また、大径部２０の先端にはフランジ２２が形成されている。小径部２１は、外周面の上部、下部に形成された環状溝に嵌込まれたシール用のＯリング２３，２４を有するとともに、両Ｏリング２３，２４間に形成された複数個の連通窓２５を有する。前記連通窓２５は、小径部２１の円周方向に沿って配置されており、内部空間と外部空間を連通する機能を有する。更に、小径部２１の底部分２９およびＯリング２４の環状溝間における外周面には、Ｃリング２６が嵌め込まれる環状溝２７が形成されている。
そして、天井配管の場合は、図６に示すように、前記貫通穴１７には、大径部２０と小径部２１のうち小径部２１が水栓本体ブロック１１の上方から嵌め込まれ、大径部２０の後端面のリング状の外周面部２０ａが水栓本体ブロック１１の上面Ａに当接し、かつ、環状溝２７を本体ブロック１１の下面Ｂから突出させながら環状溝２７にＣリング２６を嵌め込む形で貫通穴１７に配管接続部材１３が取り付けられる。一方、床配管の場合は、図７に示すように、前記貫通穴１７には、大径部２０と小径部２１のうち小径部２１が水栓本体ブロック１１の下方から嵌め込まれ、大径部２０の後端面のリング状の外周面部２０ａが水栓本体ブロック１１の下面Ｂに当接し、かつ、環状溝２７を本体ブロック１１の下面Ａから突出させながら環状溝２７にＣリング２６を嵌め込む形で貫通穴１７に配管接続部材１３が取り付けられる。
【００１３】
３０は、配管（例えば樹脂パイプ）Ｐを配管接続部材１３に接続するときに用いる中継管で、袋ナット３１と、割リング（図示せず）と、これらが配管（例えば樹脂パイプ）Ｐの一端から配管（例えば樹脂パイプ）Ｐに挿通された状態で配管（例えば樹脂パイプ）Ｐの一端が差し込まれる筒状の継手本体３２とから構成される。継手本体３２は、配管（例えば樹脂パイプ）Ｐの一端が嵌め込まれる大径の上流側端部分３２ｄとこれより小径に形成された下流側端部分３２ａを有する。この下流側端部分３２ａの外周が前記大径部２０の内径より僅かに小さくなるように形成されている。そして、下流側端部分３２ａの外周にＯリング３２ｂを嵌入し、このＯリング３２ｂよりも上流側にフランジ３２ｃを形成するように、例えば旋盤加工によって成形される。従って、配管接続部材１３の大径部２０内に中継管３０の下流側端部分３２ａを挿入することにより、配管接続部材１３と中継管３０は水密に連通連結される。この場合、配管接続部材１３のフランジ２２と中継管３０のフランジ３２ｃを当接した状態で、これらのフランジ２２，３２ｃの当接状態が維持されるように配管接続部材１３と中継管３０を挟み込むようにクリップ３５を嵌合することにより、配管接続部材１３と中継管３０の接続状態が容易に保持される。加えて、前記クリップ３５の嵌合作業は図１に示す矢印Ｘの方向に押しつけるだけであるから、道具を全く必要とせずに、極めて容易に接続できる。また、一旦取り付けられたクリップ３５は図１に示す把手３５ａ，３５ａの部分を開くように力を加えないかぎり外れないので、一旦接続した配管接続部材１３と中継管３０が不用意に外れてしまうことがなく、接続部の水密性を安定させることができる。
【００１４】
なお、図１に示すように、ハウジング本体２の背面部２ｆの内面には左右一対のネジ穴付き保持板４０が設けられている。ハウジング本体２の正面からみて左側の保持板４０に形成されている複数のネジ穴４１〜４５のうち、外側上下に設けられた二つのネジ穴４１，４２は、ネジ４６によって前記クリップ３５の把手３５ａを保持板４０に保持するためのものである。天井配管のときは、図６にも示したように、上側に設けたネジ穴４１が用いられ、床配管のときは図７に示すように、下側に設けたネジ穴４２が用いられる。図６にも示したように、上側に設けたネジ穴４１が用いられ、床配管のときは図７に示すように、下側に設けたネジ穴４２が用いられる。
また、複数のネジ穴４１〜４５のうち、内側上中下に設けられた三つのネジ穴４３，４４，４５は、水栓本体ブロック１１を保持板４０に保持する場合に用いられる。すなわち、図２に示すように、水栓本体ブロック１１には、水栓本体ブロック正面（前面）Ｄの適宜箇所からｂ方向に切削して水栓本体ブロック正面（前面）Ｄと水栓本体ブロック背面Ｆを貫通する四つのネジ穴５０が形成されている。そして、天井配管のときは、中下に設けられたネジ穴４４，４５にそれぞれネジ穴５０を介してネジ５１が接続される。また、床配管のときは、上中に設けられたネジ穴４３，４４にそれぞれネジ穴５０を介してネジ５１が接続される。        
【００１５】
而して、天井配管のときは、継手部材３０が挿通可能な大きさの丸穴２ｅを上に向けた状態のハウジング本体２を用いる。また、床配管のときは、丸穴２ｅを下に向けた状態のハウジング本体２を用いる。そして、この実施形態では、ハウジング本体２の水栓本体ブロック１１収納空間Ｓをできるだけ小さくしてコンパクトな水道用コンセント１を得るために、カバープレート５の高さ方向における中央位置よりもシフトさせた高さ位置に左右一対の開口５ａ，５ａを設けている。そのため、天井配管のときと床配管のときではカバープレート５を上下逆さまにする必要があるとともに、水栓本体ブロック１１は、天井配管の場合に比して床配管の場合の方が若干高い位置に設けられる（図６、図７参照）。そして、この発明では、逆さまにして配置することはないので、水栓本体ブロック１１を天井配管、床配管のいずれの場合でも吐水口８と流量調整部材７をカバープレート５正面からみて左右に配置することができる。
【図面の簡単な説明】
【００１６】
【図１】この発明の一実施形態における天井配管、床配管の取り付け動作を示す分解斜視図である。
【図２】上記実施形態で用いる水栓本体ブロックを示す斜視図である。
【図３】上記実施形態で用いる水栓本体ブロックに配管接続部材を取り付けるときの動作を示す分解斜視図である。
【図４】上記実施形態における導入流路、導出流路、配管接続部材の位置関係を示す構成説明図である。
【図５】上記実施形態において、天井配管時におけるカバープレートを取り外した状態を示す正面図である。
【図６】上記実施形態における天井配管取り付け状態を示す構成説明図である。
【図７】上記実施形態における床配管取り付け状態を示す構成説明図である。
【符号の説明】
【００１７】
１      水道用コンセント
２      ハウジング
６      導入流路
８      吐水口
９      導出流路
１０    流量調整部材
１１    水栓本体ブロック
１３    配管接続部材
１７    貫通穴
６０    弁体
Ｗ      壁
ｈ      取付穴
【図１】
2005220632.tif 000003
【図２】
2005220632.tif 000004
【図３】
2005220632.tif 000005
【図４】
2005220632.tif 000006
【図５】
2005220632.tif 000007
【図６】
2005220632.tif 000008
【図７】
2005220632.tif 000009